(57)【要約】  アプリケーションアイコン処理方法及び装置が開示される。方法は、第１のアプリケーションを識別するための汎用アイコンを端末の画面上に表示し（Ｓ２０２）、第１のアプリケーションの汎用アイコンを変更するために使用される第１のアプリケーションのアイコン変更命令を受信し（Ｓ２０４）、アイコン変更命令に応じて、端末の画面上に表示された汎用アイコンをカモフラージュアイコンに変更する（Ｓ２０６）ことを含む。方法は、アプリケーションのセキュリティが低いという従来技法の技術的問題点を解決する。
2019510303.tif 000002
【特許請求の範囲】
【請求項１】
第１のアプリケーションを識別するための汎用アイコンを端末の画面上に表示することと、
前記第１のアプリケーションの前記汎用アイコンを変更するために使用される前記第１のアプリケーションのアイコン変更命令を受信することと、
前記アイコン変更命令に応じて、前記端末の前記画面上に表示された前記汎用アイコンをカモフラージュアイコンに変更することと
を備える、アプリケーションアイコン処理方法。
【請求項２】
前記端末の前記画面上に表示された前記汎用アイコンをカモフラージュアイコンに変更することの後、前記方法はさらに、
前記カモフラージュアイコンに第１の操作を行うことによって生成された操作命令を受信することと、
前記操作命令に対応する指示情報を前記端末の前記画面上に表示することと、
前記指示情報に基づいて入力されたパスワードを受信することと、
前記入力パスワードに対応する機能を判断し、前記機能を開始することと
を備える、請求項１に記載の方法。
【請求項３】
前記入力パスワードに対応する機能を判断することは、
前記入力パスワードに一致するプリセットパスワードを求めてプリセットパスワードライブラリを検索することと、
前記入力パスワードに一致するプリセットパスワードが見つかった場合、前記プリセットパスワードが指す機能を前記入力パスワードに対応する前記機能として判断することと、
前記入力パスワードに一致するプリセットパスワードが見つからなかった場合、前記入力パスワードに対応する機能をダイヤル機能として判断し、前記入力パスワードを使用することによって通信ダイヤルを行うことと
を備える、請求項２に記載の方法。
【請求項４】
前記プリセットパスワードが指す前記機能は、以下、
前記第１のアプリケーションを開始することと、
第２のアプリケーションを開始することと、
第３のアプリケーションのプログラムインタフェースをリダイレクトすることと
のうちの少なくとも１つを備え、
前記第１のアプリケーション、前記第２のアプリケーション及び前記第３のアプリケーションは互いに異なる、請求項３に記載の方法。
【請求項５】
前記端末の前記画面上で前記操作命令に対応する指示情報を表示することは、
前記操作命令に応じて、情報入力ページを前記端末の前記画面上で表示することを備え、
前記入力ページには前記指示情報が記録され、
前記指示情報は数字キー及びエンターキーを少なくとも備える、
請求項２に記載の方法。
【請求項６】
前記第１の操作は、
タップ操作と、
ダブルタップ操作と、
長押し操作と
を備える、請求項２に記載の方法。
【請求項７】
前記第１のアプリケーションの前記アイコン変更命令を受信することは、
前記第１のアプリケーションを開始するための開始命令が受信された後、前記第１のアプリケーションのプログラムインタフェースを前記端末の前記画面上に表示することであって、前記プログラムインタフェースはガイド情報を記録する、ことと、
前記ガイド情報に対して所定の操作が行われたかどうかを検出することと、
前記ガイド情報に対して前記所定の操作が行われたことを検出することに応じて、前記アイコン変更命令を受信したと判定することと
を備える、請求項１に記載の方法。
【請求項８】
前記ガイド情報に前記所定の操作が行われたかどうかを検出することは、
第１のアイコンの表示属性を識別するための第１のラベルが選択されていないかどうか、前記第１のアイコンの隠し属性を識別するための第２のラベルが選択されているかどうか、第２のアイコンの表示属性を識別するための第３のラベルが選択されているかどうか、及び前記第１のアイコンの前記隠し属性を識別するための第４のラベルが選択されていないかどうかを検出することであって、前記ガイド情報は、前記第１のラベル、前記第２のラベル、前記第３のラベル、及び前記第４のラベルを備える、ことと、
前記第１のラベルが選択されず、前記第２のラベルが選択され、前記第３のラベルが選択され、前記第４のラベルが選択されていないと判定することに応じて、前記ガイド情報に対して前記所定の操作が行われたと判定することと
を備える、請求項７に記載の方法。
【請求項９】
前記ガイド情報は、カモフラージュ機能開始ボタンを備え、
前記ガイド情報に前記所定の操作が行われたかどうかを検出することは、
前記カモフラージュ機能開始ボタンが選択されたかどうかを検出することと、
前記カモフラージュ機能開始ボタンが選択された場合、前記ガイド情報に対して前記所定の操作が行われたと判定することと
を備える、請求項７に記載の方法。
【請求項１０】
端末の画面上に第１のアプリケーションを識別するための汎用アイコンを表示するように構成される第１の表示ユニットと、
前記第１のアプリケーションの前記汎用アイコンを変更するために使用される前記第１のアプリケーションのアイコン変更命令を受信するように構成される第１の受信ユニットと、
前記アイコン変更命令に応じて、前記端末の前記画面上に表示された前記汎用アイコンをカモフラージュアイコンに変更するように構成される第１の処理ユニットと
を備える、アプリケーションアイコン処理装置。
【請求項１１】
前記カモフラージュアイコンに第１の操作を行うことによって生成された操作命令を受信するように構成される第２の受信ユニットと、
前記操作命令に対応する指示情報を前記端末の前記画面上に表示するように構成される第２の表示ユニットと、
前記指示情報に基づいて入力されたパスワードを受信するように構成される第３の受信ユニットと、
前記入力パスワードに対応する機能を判断し、前記機能を開始するように構成される第２の処理ユニットと
をさらに備える、請求項１０に記載の装置。
【請求項１２】
前記第２の処理ユニットは、
前記入力パスワードに一致するプリセットパスワードを求めてプリセットパスワードライブラリを検索するように構成される検索サブユニットと、
前記入力パスワードに一致するプリセットパスワードが見つかった場合、前記プリセットパスワードが指す機能を前記入力パスワードに対応する前記機能として判断するように構成される第１の判定サブユニットと、
前記入力パスワードに一致するプリセットパスワードが見つからなかった場合、前記入力パスワードに対応する機能をダイヤル機能として判断し、前記入力パスワードを使用することによって通信ダイヤルを行うように構成される第２の判定サブユニットと
を備える、請求項１１に記載の装置。
【請求項１３】
前記第２の表示ユニットは、
前記操作命令に応じて、情報入力ページを前記端末の前記画面上に表示するように構成され、
前記入力ページには前記指示情報が記録され、
前記指示情報には数字キー及びエンターキーが少なくとも含まれる第１の表示サブユニットを備える、請求項１１に記載の装置。
【請求項１４】
前記第１の受信ユニットは、
前記第１のアプリケーションを開始するための開始命令が受信された後、前記第１のアプリケーションのプログラムインタフェースを前記端末の前記画面上に表示するように構成される第２の表示サブユニットであって、前記プログラムインタフェースはガイド情報を記録する、第２の表示サブユニットと、
前記ガイド情報に対して所定の操作が行われたかどうかを検出するように構成される検出サブユニットと、
前記ガイド情報に対して前記所定の操作が行われたことが検出された場合、前記アイコン変更命令を受信したと判定するように構成される第３の判定サブユニットと
を備える、請求項１０に記載の装置。
【請求項１５】
前記検出サブユニットは、
第１のアイコンの表示属性を識別するための第１のラベルが選択されていないかどうか、前記第１のアイコンの隠し属性を識別するための第２のラベルが選択されているかどうか、第２のアイコンの表示属性を識別するための第３のラベルが選択されているかどうか、及び前記第１のアイコンの前記隠し属性を識別するための第４のラベルが選択されていないかどうかを検出するように構成される第１の検出モジュールであって、前記ガイド情報は、前記第１のラベル、前記第２のラベル、前記第３のラベル及び前記第４のラベルを備える、第１の検出モジュールと、
前記第１のラベルが選択されず、前記第２のラベルが選択され、前記第３のラベルが選択され、前記第４のラベルが選択されていない場合、前記ガイド情報に対して前記所定の操作が行われたと判定するように構成される第１の判定モジュールと
を備える、請求項１４に記載の装置。
【発明の詳細な説明】
【技術分野】
【０００１】
本出願は、「ICON PROCESSING METHOD AND APPARATUS FOR APPLICATIONS」と題された２０１６年２月２４日に出願された中国特許出願第２０１６１０１０２４６６．１号への優先権を主張するものであり、その内容全体が参照により本明細書に組み込まれる。
【０００２】
本開示は、コンピュータの分野に関し、より詳細には、アプリケーションアイコン処理方法及び装置に関する。
【背景技術】
【０００３】
モバイルインターネットが急速に発展し、スマートフォン及びタブットコンピュータなどの携帯端末は人々の日常生活には不可欠なパーソナルデバイスとなっている。一般的なユーザが携帯端末の様々なアプリケーションを使用する過程において、アプリケーションは要求を基に、ユーザの一部の個人情報を記憶するか、またはキャッシュする。特に、ソーシャルカテゴリ、支払いカテゴリ及びその他の配下にあるアプリケーションは、一般的に、友人情報及び支払い動作など、非常に重要なユーザの個人情報を記憶している場合がある。したがって、パーソナル携帯端末上でのアプリケーションのセキュリティの保証方法は、間違いなくユーザの高い関心を集めている。
【０００４】
現在、アイコンは、一般的に、携帯端末のユーザインターフェース上で使用され、対象のアプリケーションを識別し、１つのアイコンは一般的に１つの対象アプリケーション（ＡＰＰ）に対応する。携帯端末は、重要な通信デバイス及び記憶デバイスとして、ユーザの大量の個人情報を記憶しており、それらの一部（一部のセキュリティ情報など）は極秘扱いにする必要がある。従来技法では、端末がロック解除状態になると、全てのアプリケーションにアクセス可能となる。無許可のユーザが現在の端末を使用する場合、無許可のユーザは、端末がロック解除された後、携帯端末上の全ての対象アプリケーションを直接開き、携帯端末の許可ユーザの個人情報を盗むか、修正することがあり、これは携帯端末の許可ユーザの個人情報を保護する観点から非常に不都合である。上記の観点から、従来技法はアプリケーションのセキュリティが低いという技術的問題点を有している。
【０００５】
上記の問題を解決するために現在提供されている効果的な解決法はない。
【発明の概要】
【０００６】
本開示の実施形態例は、アプリケーションのセキュリティが低いという従来技法における技術的問題点を少なくとも解決するために、アプリケーションアイコン処理方法及び装置を提供する。
【０００７】
本開示の実施形態例の一態様によれば、第１のアプリケーションを識別するための汎用アイコンを端末の画面上に表示し、第１のアプリケーションの汎用アイコンを変更するために使用される第１のアプリケーションのアイコン変更命令を受信し、アイコン変更命令に応じて、端末の画面上に表示された汎用アイコンをカモフラージュアイコンに変更することを含むアプリケーションアイコン処理方法が提供される。
【０００８】
本開示の実施形態例の別の態様によれば、端末の画面上に第１のアプリケーションを識別するための汎用アイコンを表示するように構成される第１の表示ユニットと、第１のアプリケーションの汎用アイコンを変更するために使用される第１のアプリケーションのアイコン変更命令を受信するように構成される第１の受信ユニットと、アイコン変更命令に応じて、端末の画面上に表示された汎用アイコンをカモフラージュアイコンに変更するように構成される第１の処理ユニットとを含むアプリケーションアイコン処理装置がさらに提供される。
【０００９】
本開示の実施形態例によれば、第１のアプリケーションを識別するための汎用アイコンを端末の画面上に表示し、第１のアプリケーションの汎用アイコンを変更するために使用される第１のアプリケーションのアイコン変更命令を受信し、アイコン変更命令に応じて、端末の画面上に表示された汎用アイコンをカモフラージュアイコンに変更する。端末の画面上に第１のアプリケーションを識別するための汎用アイコンを表示し、その後、第１のアプリケーションに対するアイコン変更命令が受信されたときにアイコン変更命令に応答することによって、端末の画面上に表示された汎用アイコンをカモフラージュアイコンに変更する目的が達成され、これによって、アプリケーションアイコンをカモフラージュする技術的効果を達成し、アプリケーションの把握しにくさを改善してアプリケーションのセキュリティを向上させ、さらにアプリケーションのセキュリティが低いという従来技法の技術的問題点を解決する。
【００１０】
本明細書に記載される添付図面は、本開示のさらなる理解を提供するために使用され、本開示の一部を構成する。本開示の実施形態例及びその例示は、本開示を説明するために使用され、本開示を不適切に制限する意図はない。添付図面は以下の通りである。
【図面の簡単な説明】
【００１１】
【図１】本開示の実施形態例による、アプリケーションアイコン処理方法のコンピュータ端末のハードウェア構造のブロック図である。
【図２（ａ）】本開示の実施形態例による、任意のアプリケーションアイコン処理方法の概略的なフロー図である。
【図２（ｂ）】本開示の実施形態例による、任意のアプリケーションアイコン処理方法の概略図である。
【図２（ｃ）】本開示の実施形態例による、別の任意のアプリケーションアイコン処理方法の概略図である。
【図３（ａ）】本開示の実施形態例による、別の任意のアプリケーションアイコン処理方法の概略的なフロー図である。
【図３（ｂ）】本開示の実施形態例による、さらに別の任意のアプリケーションアイコン処理方法の概略図である。
【図４（ａ）】本開示の実施形態例による、さらに別の任意のアプリケーションアイコン処理方法の概略的なフロー図である。
【図４（ｂ）】本開示の実施形態例による、さらに別の任意のアプリケーションアイコン処理方法の概略図である。
【図４（ｃ）】本開示の実施形態例による、さらに別の任意のアプリケーションアイコン処理方法の概略的なフロー図である。
【図５】本開示の実施形態例による、さらに別の任意のアプリケーションアイコン処理方法の概略的なフロー図である。
【図６】本開示の実施形態例による、さらに別の任意のアプリケーションアイコン処理方法の概略的なフロー図である。
【図７】本開示の実施形態例による、さらに別の任意のアプリケーションアイコン処理方法の概略的なフロー図である。
【図８】本開示の実施形態例による、任意のアプリケーションアイコン処理装置の概略的な構造図である。
【図９】本開示の実施形態例による、別の任意のアプリケーションアイコン処理装置の概略的な構造図である。
【図１０】本開示の実施形態例による、さらに別の任意のアプリケーションアイコン処理装置の概略的な構造図である。
【図１１】本開示の実施形態例による、さらに別の任意のアプリケーションアイコン処理装置の概略的な構造図である。
【図１２】本開示の実施形態例による、さらに別の任意のアプリケーションアイコン処理装置の概略的な構造図である。
【図１３】本開示の実施形態例による、さらに別の任意のアプリケーションアイコン処理装置の概略的な構造図である。
【図１４】本開示の実施形態例による、さらに別の任意のアプリケーションアイコン処理装置の概略的な構造図である。
【図１５】本開示の実施形態例による、コンピュータ端末の構造ブロック図である。
【発明を実施するための形態】
【００１２】
本開示における技術的解決策を当業者がより良く理解できるよう、本開示の実施形態例の添付図面を参考にして、本開示の実施形態例における技術的解決策を明確かつ完全に以下に記載する。記載される実施形態例は、本開示の実施形態例の全てではなく、一部を表しているにすぎないことは明らかである。本開示の実施形態例を基に、創造的な努力なしに当業者が取得する他の全ての実施形態例は、本開示の保護範囲に含まれるものとする。
【００１３】
本開示の明細書、特許請求の範囲及び添付図面における「第１の」及び「第２の」などの用語は、類似する物体を区別するために使用され、特定の順序または順番を記載することは意図してないことに留意すべきである。この方法で使用されるデータは、適切な状況において交換されてよく、これによって、本明細書に記載された本開示の実施形態例は、本明細書に示されるか、または記載された順序以外の順序で実施されてよいことを理解すべきである。さらに、「include/comprise（含む／備える）」、「have（有する）」という用語及びそれらの任意の変形は、非排他的な包含を含むことを意図し、例えば、一連のステップまたはユニットを含むプロセス、方法、システム、製品またはデバイスは、明確に列挙されているこれらのステップまたはユニットに制限されることはなく、明確に列挙されていないか、あるいはプロセス、方法、製品もしくは装置に固有である他のステップまたはユニットを含んでよい。
【００１４】
実施形態例１
本開示の実施形態例によれば、アプリケーションアイコン処理方法の実施形態例がさらに提供される。添付図面のフロー図に示されるステップは、コンピュータ実行可能命令のセットなどのコンピュータシステムで実行されてよいことに留意すべきである。さらに、論理的な順序がフロー図に示されているが、一部の場合、示されたステップまたは記載されたステップは、本明細書に記載される順序とは異なる順序で実行されてよい。
【００１５】
本開示の実施形態例１に提供される実施形態例の方法は、携帯端末、コンピュータ端末または類似のコンピューティングデバイスにおいて実行されてよい。例としてコンピュータ端末上で実行すると、図１は、本開示の実施形態例による、アプリケーションアイコン処理方法のコンピュータ端末のハードウェア構造のブロック図である。図１に示すように、コンピュータ端末１０は、１つ以上の（１つのみが示されている）プロセッサ１０２（プロセッサ１０２は、マイクロプロセッサＭＣＵまたはプログラム可能な論理デバイスＦＰＧＡなどの処理装置を含む場合があるが、これらに制限されない）、データを記憶するように構成されるメモリ１０４、及び通信機能を提供するように構成される送信装置１０６を含んでよい。当業者は、図１に示す構造は概略にすぎず、上記の電子装置の構成を制限する意図はないことを理解し得る。例えば、コンピュータ端末１０は、図１に示すものより多いまたは少ない構成要素を含んでよいか、あるいは図１に示すものとは異なる構成を有してよい。
【００１６】
メモリ１０４は、例えば、本開示の実施形態例におけるアプリケーションアイコン処理方法に対応するプログラム命令／モジュールなど、アプリケーションソフトウェアのソフトウェアプログラム及びモジュールを記憶するように構成されてよい。プロセッサ１０２は、メモリ１０４に記憶されたソフトウェアプログラム及びモジュールを実行して、様々な機能アプリケーションを実行し、データ処理を実行する、すなわち、アプリケーションアイコン処理方法を実施する。メモリ１０４は、高速ランダムアクセスメモリを含んでよく、さらに不揮発性メモリ、例えば、１つ以上の磁気記憶装置、フラッシュメモリまたは他の不揮発性ソリッドステートメモリを含んでよい。一部の例では、メモリ１０４はさらに、プロセッサ１０２に対して遠隔に配置されたメモリを含んでよく、遠隔メモリは、ネットワークを通じてコンピュータ端末１０に接続されてよい。ネットワークの例には、インターネット、イントラネット、ローカルエリアネットワーク、移動通信ネットワーク及びそれらの組み合わせが含まれるが、これらに制限されない。
【００１７】
送信装置１０６は、ネットワークを介してデータを受信または送信するように構成される。ネットワークの具体例として、コンピュータ端末１０の通信プロバイダによって提供される無線ネットワークを含んでよい。例えば、送信装置１０６は、インターネットと通信するために基地局を介して別のネットワークデバイスに接続され得るネットワークインタフェースコントローラ（ＮＩＣ）を含む。例えば、送信装置１０６は、無線方式でインターネットと通信するように構成される無線周波数（ＲＦ）モジュールであってよい。
【００１８】
上記の動作環境において、本開示は、図２（ａ）に示すアプリケーションアイコン処理方法を提供する。図２（ａ）は、本開示の実施形態例による、アプリケーションアイコン処理方法のフロー図である。
【００１９】
図２（ａ）に示すように、アプリケーションアイコン処理方法は以下の実施ステップを含んでよい。
【００２０】
ステップＳ２０２：第１のアプリケーションを識別するための汎用アイコンを端末の画面上に表示する。
【００２１】
ステップＳ２０４：第１のアプリケーションの汎用アイコンを変更するために使用される第１のアプリケーションのアイコン変更命令を受信する。
【００２２】
ステップＳ２０６：アイコン変更命令に応じて、端末の画面上に表示された汎用アイコンをカモフラージュアイコンに変更する。
【００２３】
本開示の上記の実施形態例を使用することによって、端末の画面上に第１のアプリケーションを識別するための汎用アイコンを表示し、その後、第１のアプリケーションに対するアイコン変更命令が受信されたときにアイコン変更命令に応答することによって、端末の画面上に表示された汎用アイコンをカモフラージュアイコンに変更する目的が達成され、これによって、アプリケーションアイコンをカモフラージュする技術的効果を達成し、アプリケーションの把握しにくさを改善してアプリケーションのセキュリティを向上させ、さらにアプリケーションのセキュリティが低いという従来技法の技術的問題点を解決する。
【００２４】
上記の実施形態例の汎用アイコンは、第１のアプリケーションの開発中に開発者によって設定されたアイコンである。すなわち、第１のアプリケーションは、第１のアプリケーションが携帯端末上にインストールされた後に、端末の画面上に汎用アイコンとして表示される。
【００２５】
任意には、図２（ｂ）は、本開示の実施形態例１による、アプリケーションアイコン処理方法の概略図である。図２（ｂ）を参照すると、本開示のステップＳ２０２では、端末は、スマートフォン、タブレットコンピュータ、ノートブックコンピュータまたはスマートウォッチなどの携帯端末であってよく、パーソナルコンピュータＰＣであってもよい。端末の画面上に表示される第１のアプリケーションは、図２（ｂ）に示すように、「設定」プログラム、「時間」プログラム、「ファイル」プログラム、「写真」プログラム、「メモ」プログラム、「音楽」プログラム、「ショートメッセージ」プログラム、「電子メール」プログラム、「支払い」プログラム及びその他であってよく、さらに、図２（ｂ）には示されていない、端末システムに組み込まれたか、またはネットワークを通じてユーザによってダウンロードされたソーシャルアプリケーション、ゲームアプリケーション、リーディングアプリケーション及び様々なパブリックバージョン（βバージョンを含む）の他のアプリケーションであってよい。さらに、第１のアプリケーションの汎用アイコンは、アプリケーションの製造者または債権者によって提供された、ユーザ指向のアイコンとして理解されてよい。
【００２６】
さらに、Ａｎｄｒｏｉｄシステムを搭載した端末では、汎用アイコンはさらに、主要アイコン（アイコン形式のアイコン）として理解されてよい。カモフラージュアイコンは補助アイコンであってよく、補助アイコンは、通常、デフォルトでは端末画面上に表示されない。例えば、主要アイコンを設定する方法は、主要アイコン設定及び補助アイコン設定をマニフェスト内で設定することである。主要アイコンは２つのラベルを有する。一方のラベルはアクティビティであり、ラベルは非表示に設定される。他方のラベルは別名アクティビティであり、ラベルは表示に設定される。補助アイコンを設定する方法は、２つの補助アイコンラベルをマニフェスト内で設定することである。一方のラベルはアクティビティであり、他方のラベルは別名アクティビティであり、一方のラベルが表示されている間は他方のラベルは表示されない。
【００２７】
主要アイコン及び補助アイコンが端末上で切り替えて表示される場合、主要アイコン及び補助アイコンのラベルを選択することによって表示状態を設定してよい。任意には、上記の実施形態例では、１つ以上の補助アイコンを設定してよい。主要アイコンから補助アイコンに表示を切り替えることを決定した場合、対象の補助アイコンがまず選択され、対象の補助アイコンの表示状態（表示または非表示を含む）が設定される。
【００２８】
主要アイコンは上記の実施形態例の汎用アイコンであり、補助アイコンは上記のカモフラージュアイコンに相当する。
【００２９】
任意には、本開示のステップＳ２０４において、ユーザが端末上で合意した操作を行う必要がある場合、ユーザは第１のアプリケーションに対するアイコン変更命令を生成してよく、さらに、指定時間内または特別な場所で端末によって自動的に生成されるようにユーザが事前に設定してもよい。例えば、ユーザは仕事後に毎日１９：００に地下鉄を利用しており、この時間帯には地下鉄に多くの乗客がいるため、アプリケーションのセキュリティを向上させる必要があるとユーザは考える。したがって、ユーザは、端末が自動的にアイコン変更命令を生成する時間を１９：００に設定してよく、これによって、端末は毎日１９：００にアイコン変更命令を第１のアプリケーションに対して自動的に送信する。
【００３０】
任意には、図２（ｃ）は、本開示の実施形態例１による、アプリケーションアイコン処理方法の概略図である。図２（ｃ）を参照すると、本開示のステップＳ２０６において、カモフラージュアイコンはやはり第１のアプリケーションを示しているが、カモフラージュアイコンは第１のアプリケーションの汎用アイコンよりも分かりにくく誤解を招きやすい。図２（ｃ）に示すように、第１のアプリケーションは「支払い」プログラムである。端末の画面上に表示される「支払い」プログラムの汎用アイコンは、アイコン変更命令に応じて、カモフラージュアイコンに置き換えられてよく、カモフラージュアイコンのアイコン形状は「電話」である。端末の画面上に第１のアプリケーションを指示する用語がない場合、無許可のユーザはそのカモフラージュアイコンが「支払い」プログラムを指していることに容易には気づかないだろう。
【００３１】
具体的には、Ａｎｄｒｏｉｄシステムを搭載した端末では、主要アイコン及び補助アイコン内の別名アクティビティの名前値をそれぞれパラメータとして抽出してよく、対応する構成要素を取得するために、２つのパラメータを使用して構成要素名という名前のオブジェクトを作成する。その後、構成要素名を通じて、主要アイコンまたは補助アイコンが現在表示されているかどうかを判定してよい。主要アイコンが端末画面上に現在表示されている場合、主要アイコンは隠され、補助アイコンが表示される。補助アイコンが端末画面上に現在表示されている場合、補助アイコンは隠され、主要アイコンが表示される。
【００３２】
任意には、図３（ａ）は、本開示の実施形態例による、別の任意のアプリケーションアイコン処理方法の概略的なフロー図である。図３（ａ）に示すように、端末の画面上に表示された汎用アイコンをカモフラージュアイコンに変更するステップの後、方法はさらに以下のステップを含む。
【００３３】
ステップＳ３０２：カモフラージュアイコンに第１の操作を行うことによって生成された操作命令を受信する。
【００３４】
任意には、本開示のステップＳ３０２では、カモフラージュアイコンに実行された第１の操作は、カモフラージュアイコンをタップしてアプリケーションを実行すること、カモフラージュアイコンを長押ししてアイコンの位置を移動させること、カモフラージュアイコンを長押ししてアプリケーションを削除すること及びその他であってよい。
【００３５】
ステップＳ３０４：操作命令に対応する指示情報を端末の画面上に表示する。
【００３６】
任意には、図３（ｂ）は、本開示の実施形態例による、別の任意のアプリケーションアイコン処理方法の概略図である。図３（ｂ）を参照すると、本開示のステップＳ３０４では、操作命令に対応する指示情報はダイヤルインタフェースであってよい。図３（ｂ）に示すように、ユーザはダイヤルを通じて数値または記号を入力ボックスに入力してよく、端末画面の左上隅にある十字記号をタップしてホーム画面に戻ってよい。
【００３７】
ステップＳ３０６：指示情報に基づいて入力されたパスワードを受信する。
【００３８】
任意には、本開示のステップＳ３０６では、指示情報に基づいて入力されたパスワードは数値または記号であってよい。パスワードの桁数はユーザによって必要に応じて事前に設定されてよく、パスワードが長いほど機密性及びセキュリティが高まる。
【００３９】
具体的には、Ａｎｄｒｏｉｄを搭載した端末上では、１つの受信機がシステムダイヤルを監視するためにマニフェスト内に設定されてよく、これによって、パスワード受信を実施する。
【００４０】
ステップＳ３０８：入力パスワードに対応する機能を判断し、機能を開始する。
【００４１】
任意には、本開示のステップＳ３０８では、複数のパスワードがあってよく、異なるパスワードは異なる機能に対応してよい。例えば、パスワード「１００１」は、「電源オフ」機能に対応してよく、パスワード「１００２」は「音楽再生」機能に対応してよく、パスワード「１００３」は「カメラ」機能に対応してよく、パスワード「１００４」は、「機内モードの開始」機能に対応してよい。パスワードと端末上の様々な機能との間の関係を開始することは、ユーザによって設定されてよい。
【００４２】
具体的には、Ａｎｄｒｏｉｄシステムを搭載した端末では、受信機を使用することによって正しいパスワードを検出した後、そのパスワードに対応する機能を開始する。
【００４３】
任意には、図４（ａ）は、本開示の実施形態例による、さらに別の任意のアプリケーションアイコン処理方法の概略的なフロー図である。図４（ａ）に示すように、入力パスワードに対応する機能を判断するステップは以下を含む。
【００４４】
ステップＳ４０２：入力パスワードに一致するプリセットパスワードを求めてプリセットパスワードライブラリを検索する。
【００４５】
任意には、図４（ｂ）は、本開示の実施形態例による、さらに別の任意のアプリケーションアイコン処理方法の概略図である。図４（ｂ）に示すように、本開示のステップＳ４０２では、プリセットパスワードライブラリ内の全パスワードの一部を、削除などのバッチ操作のために選択してよい。プリセットパスワードライブラリ内の単一のパスワードに編集、削除または置換が行われてよい。さらに、新規パスワードがプリセットパスワードライブラリ内で作成されてよい。プリセットパスワードライブラリ内の全てのパスワードは総称的にプリセットパスワードと呼ばれることがある。プリセットパスワードの状態は、有効状態または無効状態を含んでよい。
【００４６】
ステップＳ４０４：入力パスワードに一致するプリセットパスワードが見つかった場合、そのプリセットパスワードが指す機能を入力パスワードに対応する機能として判断する。
【００４７】
任意には、本開示のステップＳ４０４において、プリセットパスワードが指す機能は、アプリケーションの開始及びアプリケーションの終了などの機能であってよく、電源のオン／オフ機能であってもよく、携帯電話の実行モードの調整であってもよい。例えば、パスワード「２００１」は「省電力モードの開始」の機能に対応してよく、パスワード「２００２」は「自動輝度調整モードの開始」の機能に対応してよい。
【００４８】
ステップＳ４０６：入力パスワードに一致するプリセットパスワードが見つからなかった場合、入力パスワードに対応する機能をダイヤル機能として判断し、入力パスワードを使用することによって通信ダイヤルを行う。
【００４９】
任意には、本開示のステップＳ４０６では、入力パスワードが数字のみのパスワードである場合、パスワードの数字は通信ダイヤルに使用されてよい。このように、端末の通信ダイヤルの多様性を高めてよい。電話通信が携帯端末で頻繁に使用される重要な操作方法であることを考慮すると、ユーザが通信を行おうとするときに誤ってインタフェースに入っても、ユーザは、ホーム画面に戻ったり、一般的に使用される通信ダイヤルインタフェースに入ったりすることなく、このインタフェースのダイヤルを使用して通信ダイヤルを行い得る。
【００５０】
任意には、プリセットパスワードが指す機能は、以下、つまり、第１のアプリケーションの開始、第２のアプリケーションの開始、及び第３のアプリケーションのプログラムインタフェースへのリダイレクトのうちの少なくとも１つを含み、第１のアプリケーション、第２のアプリケーション、及び第３のアプリケーションは互いに異なる。ここで、第３のアプリケーションのプログラムインタフェースへのリダイレクトは、ユーザがアプリケーションのプログラムインタフェースを実行しており、プログラムインタフェース上で、指示情報が位置するインタフェースに入る動作を実行したことが前提とされることに留意すべきである。換言すると、ユーザは、指示情報が位置するインタフェースにホーム画面から直接的に入り得るだけでなく、指示情報が位置するインタフェースに任意のアプリケーションのプログラムインタフェースからも入り得る。
【００５１】
任意には、図４（ｃ）は、本開示の実施形態例による、さらに別の任意のアプリケーションアイコン処理方法の概略的なフロー図である。図４（ｃ）に示すように、アプリケーションアイコン処理方法は以下のステップを含んでよい。
【００５２】
ステップＳ４１：ユーザ入力パスワードを受信する。
【００５３】
ステップＳ４２：ユーザ入力パスワードが正しいかどうかを判定する。
【００５４】
任意には、ステップＳ４２を行った後、ユーザ入力パスワードが正しくないと判定した場合、ステップＳ４３を行い、ユーザ入力パスワードが正しいと判定した場合には、ステップＳ４４を行う。
【００５５】
ステップＳ４３：入力パスワードの数字に従ってダイヤルを行う。
【００５６】
ステップＳ４４：プリセットパスワードライブラリ内のプリセットパスワードに一致する。
【００５７】
任意には、ステップＳ４４を行った後、一致したプリセットパスワードが「プリセットパスワード１」である場合、ステップＳ４５を行う。
【００５８】
ステップＳ４５：「プリセットパスワード１」に従って「機能１」に入る。
【００５９】
任意には、ステップＳ４４が行われた後、一致したプリセットパスワードが「プリセットパスワード２」である場合、ステップＳ４６を行う。
【００６０】
ステップＳ４６：「プリセットパスワード２」に従って「機能２」に入る。
【００６１】
任意には、ステップＳ４４が行われた後、一致したプリセットパスワードが「プリセットパスワード３」である場合、ステップＳ４７を行う。
【００６２】
ステップＳ４７：「プリセットパスワード３」に従って「機能３」に入る。
【００６３】
任意には、ステップＳ４４を行った後、一致したプリセットパスワードが「プリセットパスワード４」である場合、ステップＳ４８を行う。
【００６４】
ステップＳ４８：「プリセットパスワード４」に従って「機能４」に入る。
【００６５】
任意には、端末の画面上で操作命令に対応する指示情報を表示するステップは以下を含む。
【００６６】
ステップＳ１０：操作命令に応じて、情報入力ページが端末の画面上に表示され、入力ページは指示情報を記録し、指示情報は数字キー及びエンターキーを少なくとも含む。
【００６７】
任意には、本開示のステップＳ１０において、情報入力ページはダイヤルページであってよく、パスワードディスクであってもよい。指示情報の入力キーは、共通の「エンター（enter）」キーまたは「エンター（Enter）」キーであってよく、「ダイヤル」キーまたは「一時停止」キーなどの高度にカモフラージュされたキーであってもよい。
【００６８】
任意には、第１の操作は、タップ操作、ダブルタップ操作、及び長押し操作を含む。
【００６９】
任意には、図５は、本開示の実施形態例による、さらに別の任意のアプリケーションアイコン処理方法の概略的なフロー図である。図５に示すように、第１のアプリケーションに対するアイコン変更命令を受信するステップは以下を含む。
【００７０】
ステップＳ５０２：第１のアプリケーションを開始するための開始命令を受信した後、第１のアプリケーションのプログラムインタフェースを端末の画面上に表示し、プログラムインタフェースはガイド情報を記録する。
【００７１】
ステップＳ５０４：ガイド情報に対して所定の操作が行われたかどうかを検出する。
【００７２】
ステップＳ５０６：ガイド情報に対して所定の操作が行われたことが検出された場合、アイコン変更命令を受信したと判定する。
【００７３】
任意には、ステップＳ５０２からステップＳ５０４において、ガイド情報はテキストまたはコードであってよく、所定の操作はアイコン変更操作であってよく、単一のアプリケーションを開始する操作または複数のアプリケーションを切り替える操作であってもよい。
【００７４】
任意には、図６は、本開示の実施形態例による、さらに別の任意のアプリケーションアイコン処理方法の概略的なフロー図である。図６に示すように、ガイド情報に所定の操作が行われたかどうかを検出するステップは以下を含む。
【００７５】
ステップＳ６０２：第１のアイコンの表示属性を識別するための第１のラベルが選択されていないかどうか、第１のアイコンの隠し属性を識別するための第２のラベルが選択されているかどうか、第２のアイコンの表示属性を識別するための第３のラベルが選択されているかどうか、及び第１のアイコンの隠し属性を識別するための第４のラベルが選択されていないかどうかを検出し、ガイド情報は第１のラベル、第２のラベル、第３のラベル及び第４のラベルを含む。
【００７６】
任意には、本開示のステップＳ６０２において、Ａｎｄｒｏｉｄシステムを搭載した端末上で、第１のアイコンの表示属性を識別するための第１のラベルは別名アクティビティであってよく、第１のアイコンの隠し属性を識別するための第２のラベルはアクティビティであってよく、第２のアイコンの表示属性を識別するための第３のラベルは別名アクティビティであってよく、第２のアイコンの隠れ属性を識別するための第４のラベルはアクティビティであってよい。
【００７７】
ステップＳ６０４：第１のラベルが選択されず、第２のラベルが選択され、第３のラベルが選択され、第４のラベルが選択されていない場合、ガイド情報に対して所定の操作が行われたと判定する。
【００７８】
任意には、本開示のステップＳ６０４において、第１のアイコンの表示属性を識別するための第１のラベルの別名アクティビティが選択されず、第１のアイコンの隠し属性を識別するための第２のラベルのアクティビティが選択され、第２のアイコンの表示属性を識別するための第３のラベルの別名アクティビティが選択され、第２のアイコンの隠し属性を識別するための第４のラベルのアクティビティが選択されない場合には、上記の４つのラベルによって形成されたガイド情報に対して、所定の操作、つまり、第１のアイコンを隠して第２のアイコンを表示することが行われたと判定される。
【００７９】
任意には、図７は、本開示の実施形態例による、さらに別の任意のアプリケーションアイコン処理方法の概略的なフロー図である。図７に示すように、ガイド情報は、カモフラージュ機能開始ボタンを含み、ガイド情報に所定の操作が行われたかどうかを検出するステップは以下を含む。
【００８０】
ステップＳ７０２：カモフラージュ機能開始ボタンが選択されたかどうかを検出する。
【００８１】
任意には、本開示のステップＳ７０２において、カモフラージュ機能開始ボタンは、プルダウンメニューまたはプルアップメニューに設定されてよく、携帯電話の別の隠れたインタフェースで設定されてもよい。例えば、特定のタイプの端末の「ホーム」キーをダブルタップすると、画面の上部に共通連絡先の部分的に隠れたインタフェースが表示されてよく、カモフラージュ機能開始ボタンを部分的に隠れたインタフェースで設定することは確実かつ高度にカモフラージュされる。
【００８２】
ステップＳ７０４：カモフラージュ機能開始ボタンが選択された場合、ガイド情報に対して所定の操作が行われたと判定する。
【００８３】
任意には、本開示のステップＳ７０４において、カモフラージュ機能開始ボタンを選択することは、ガイド情報に対して所定の操作が行われたと判定するための必須の条件である。
【００８４】
説明を簡単にするために、上述の実施形態例の方法は全て、一連の動作の組み合わせとして記載されていることに留意すべきである。しかしながら、当業者は、本開示が本明細書に記載された動作順序に制限されないことを理解すべきであり、これは、一部のステップが本開示に従って他の順序でまたは同時に行われ得るためである。次に、当業者は、本明細書に記載された実施形態例は全て好ましい実施形態例であり、本明細書に含まれる動作及びモジュールは本開示に必要ではないことを理解すべきである。
【００８５】
実装方法の前述の記載に基づいて、当業者は、上記の実施形態例による方法が、ソフトウェア及び必要な汎用ハードウェアプラットフォームによって実施されてよく、当然ながらハードウェアによっても実施されてよいことを明確に理解し得るが、多くの状況において、前者がより良好な実施方法である。このような理解に基づいて、本開示の技術的解決策を本質的にソフトウェア製品の形態で具体化するか、または従来技法に寄与する部分をソフトウェア製品の形態で具体化してよい。ソフトウェア製品は、ＲＯＭ／ＲＡＭ、磁気ディスクまたは光学ディスクなどの記憶媒体に記憶されてよく、端末デバイス（携帯電話、コンピュータ、サーバまたはネットワークデバイスまたはその他）に本発明の実施形態例の方法を実行可能にするいくつかの命令を含んでよい。
【００８６】
実施形態例２
本開示の実施形態例によれば、アプリケーションアイコン処理方法を実施するアプリケーションアイコン処理装置がさらに提供される。図８に示すように、装置は、第１の表示ユニット８０１、第１の受信ユニット８０３及び第１の処理ユニット８０５を含み得る。
【００８７】
第１の表示ユニット８０１は、端末の画面上に第１のアプリケーションを識別するための汎用アイコンを表示するように構成される。第１の受信ユニット８０３は、第１のアプリケーションの汎用アイコンを変更するために使用される第１のアプリケーションのアイコン変更命令を受信するように構成される。第１の処理ユニット８０５は、アイコン変更命令に応じて、端末の画面上に表示された汎用アイコンをカモフラージュアイコンに変更するように構成される。
【００８８】
ここで、第１の表示ユニット８０１、第１の受信ユニット８０３及び第１の処理ユニット８０５は、実施形態例１のステップＳ２０２〜ステップＳ２０６に対応し、３つのユニット及び対応するステップが実装される例及び適用シナリオは同じであるが、実施形態例１に開示される内容に制限されるものではないことに留意すべきである。上記のユニットは、装置の一部として実施形態例１に提供されたコンピュータ端末１０で実行され得ることに留意すべきである。
【００８９】
本開示の上記の実施形態例を使用することによって、端末の画面上に第１のアプリケーションを識別するための汎用アイコンを表示し、その後、第１のアプリケーションに対するアイコン変更命令が受信されたときにアイコン変更命令に応答することによって、端末の画面上に表示された汎用アイコンをカモフラージュアイコンに変更する目的が達成され、これによって、アプリケーションアイコンをカモフラージュする技術的効果を達成し、アプリケーションの把握しにくさを改善してアプリケーションのセキュリティを向上させ、さらにアプリケーションのセキュリティが低いという従来技法の技術的問題点を解決する。
【００９０】
任意には、図９に示すように、アプリケーションアイコン処理装置はさらに、第２の受信ユニット９０１、第２の表示ユニット９０３、第３の受信ユニット９０５及び第２の処理ユニット９０７を含み得る。
【００９１】
第２の受信ユニット９０１は、カモフラージュアイコンに第１の操作を行うことによって生成された操作命令を受信するように構成される。第２の表示ユニット９０３は、操作命令に対応する指示情報を端末の画面上に表示するように構成される。第３の受信ユニット９０５は、指示情報に基づいて入力されたパスワードを受信するように構成される。第２の処理ユニット９０７は、入力パスワードに対応する機能を判断し、機能を開始するように構成される。
【００９２】
ここで、第２の受信ユニット９０１、第２の表示ユニット９０３、第３の受信ユニット９０５及び第２の処理ユニット９０７は、実施形態例１のステップＳ３０２〜ステップＳ３０８に対応し、４つのユニット及び対応するステップが実装される例及び適用シナリオは同じであるが、これらのユニットは、実施形態例１に開示される内容に制限されるものではないことに留意すべきである。上記のユニットは、装置の一部として実施形態例１に提供されたコンピュータ端末１０で実行され得ることに留意すべきである。
【００９３】
任意には、図１０に示すように、第２の処理ユニット９０７は、検索サブユニット１００１、第１の判定サブユニット１００３及び第２の判定サブユニット１００５を含んでよい。
【００９４】
検索サブユニット１００１は、入力パスワードに一致するプリセットパスワードを求めてプリセットパスワードライブラリ内を検索するように構成される。第１の判定サブユニット１００３は、入力パスワードに一致するプリセットパスワードが見つかった場合、そのプリセットパスワードが指す機能を入力パスワードに対応する機能として判断するように構成される。第２の判定サブユニット１００５は、入力パスワードに一致するプリセットパスワードが見つからなかった場合、入力パスワードに対応する機能をダイヤル機能として判断し、入力パスワードを使用することによって通信ダイヤルを行うように構成される。
【００９５】
ここで、検索サブユニット１００１、第１の判定サブユニット１００３及び第２の判定サブユニット１００５は、実施形態例１のステップＳ４０２〜ステップＳ４０６に対応し、３つのサブユニット及び対応するステップが実装される例及び適用シナリオは同じであるが、これらのサブユニットは、実施形態例１に開示される内容に制限されるものではないことに留意すべきである。上記のサブユニットは、装置の一部として実施形態例１に提供されたコンピュータ端末１０で実行され得ることに留意すべきである。
【００９６】
任意には、プリセットパスワードが指す機能は、以下、つまり、第１のアプリケーションの開始、第２のアプリケーションの開始及び第３のアプリケーションのプログラムインタフェースへのリダイレクトのうちの少なくとも１つを含み、第１のアプリケーション、第２のアプリケーション及び第３のアプリケーションは互いに異なる。
【００９７】
任意には、図１１に示すように、第２の表示ユニット９０３は第１の表示サブユニット１１０１を含み得る。
【００９８】
第１の表示サブユニット１１０１は、操作命令に応じて、情報入力ページを端末の画面上に表示するように構成され、入力ページには指示情報が記録され、指示情報には数字キー及びエンターキーが少なくとも含まれる。
【００９９】
ここで、第１の表示サブユニット１１０１は、実施形態例１のステップＳ１０に対応し、サブユニット及び対応するステップが実装される例及び適用シナリオは同じであるが、このサブユニットは、実施形態例１に開示される内容に制限されるものではないことに留意すべきである。サブユニットは、装置の一部として実施形態例１に提供されたコンピュータ端末１０で実行され得ることに留意すべきである。
【０１００】
任意には、第１の操作は、タップ操作、ダブルタップ操作及び長押し操作を含む。
【０１０１】
任意には、図１２に示すように、第１の受信ユニット８０３は、第２の表示サブユニット１２０１、検出サブユニット１２０３、第３の判定サブユニット１２０５を含んでよい。
【０１０２】
第２の表示サブユニット１２０１は、第１のアプリケーションを開始するための開始命令が受信された後、第１のアプリケーションのプログラムインタフェースを端末の画面上に表示するように構成され、プログラムインタフェースはガイド情報を記録する。検出サブユニット１２０３は、ガイド情報に対して所定の操作が行われたかどうかを検出するように構成される。第３の判定サブユニット１２０５は、ガイド情報に対して所定の操作が行われたことを検出した場合、アイコン変更命令が受信されたと判定するように構成される。
【０１０３】
ここで、第２の表示サブユニット１２０１、検出サブユニット１２０３及び第３の判定サブユニット１２０５は、実施形態例１のステップＳ５０２〜ステップＳ５０６に対応し、３つのサブユニット及び対応するステップが実装される例及び適用シナリオは同じであるが、これらのサブユニットは、実施形態例１に開示される内容に制限されるものではないことに留意すべきである。上記のサブユニットは、装置の一部として実施形態例１に提供されたコンピュータ端末１０で実行され得ることに留意すべきである。
【０１０４】
任意には、図１３に示すように、検出ユニット１２０３は、第１の検出モジュール１３０１及び第１の判定モジュール１３０３を含んでよい。
【０１０５】
第１の検出モジュール１３０１は、第１のアイコンの表示属性を識別するための第１のラベルが選択されていないかどうか、第１のアイコンの隠し属性を識別するための第２のラベルが選択されているかどうか、第２のアイコンの表示属性を識別するための第３のラベルが選択されているかどうか、及び第１のアイコンの隠し属性を識別するための第４のラベルが選択されていないかどうかを検出するように構成され、ガイド情報は第１のラベル、第２のラベル、第３のラベル及び第４のラベルを含む。第１の判定モジュール１３０３は、第１のラベルが選択されず、第２のラベルが選択され、第３のラベルが選択され、第４のラベルが選択されていない場合、ガイド情報に対して所定の操作が行われたと判定するように構成される。
【０１０６】
ここで、第１の検出モジュール１３０１及び第１の判定モジュール１３０３は、実施形態例１のステップＳ６０２〜ステップＳ６０４に対応し、２つのモジュール及び対応するステップが実装される例及び適用シナリオは同じであるが、これらのモジュールは、実施形態例１に開示される内容に制限されるものではないことに留意すべきである。上記のモジュールは、装置の一部として実施形態例１に提供されたコンピュータ端末１０で実行され得ることに留意すべきである。
【０１０７】
任意には、ガイド情報はカモフラージュ機能開始ボタンを含む。図１４を参照すると、検出サブユニット１２０３は、第２の検出モジュール１４０１及び第２の判定モジュール１４０３を含んでよい。
【０１０８】
第２の検出モジュール１４０１は、カモフラージュ機能開始ボタンが選択されたかどうかを検出するように構成される。第２の判定モジュール１４０３は、カモフラージュ機能開始ボタンが選択された場合、ガイド情報に対して所定の操作が行われたと判定するように構成される。
【０１０９】
ここで、第２の検出モジュール１４０１及び第２の判定モジュール１４０３は、実施形態例１のステップＳ７０２〜ステップＳ７０４に対応し、２つのモジュール及び対応するステップが実装される例及び適用シナリオは同じであるが、これらのモジュールは、実施形態例１に開示される内容に制限されるものではないことに留意すべきである。上記のモジュールは、装置の一部として実施形態例１に提供されたコンピュータ端末１０で実行され得ることに留意すべきである。
【０１１０】
実施形態例３
本開示の実施形態例は、コンピュータ端末を提供してよい。コンピュータ端末は、コンピュータ端末グループ内の任意のコンピュータ端末デバイスであってよい。任意には、この実施形態例では、コンピュータ端末はさらに、携帯端末などの端末デバイスに置き換えてもよい。
【０１１１】
任意には、この実施形態例では、コンピュータ端末は、コンピュータネットワーク内の複数のネットワークデバイスのうちの少なくとも１つに配置されてよい。
【０１１２】
本実施形態例では、コンピュータ端末は、アプリケーションアイコン処理方法において、以下、つまり、第１のアプリケーションを識別するための汎用アイコンを端末の画面上に表示し、第１のアプリケーションの汎用アイコンを変更するために使用される第１のアプリケーションのアイコン変更命令を受信し、アイコン変更命令に応じて、端末の画面上に表示された汎用アイコンをカモフラージュアイコンに変更するステップのプログラムコードを実行し得る。
【０１１３】
本開示の上記の実施形態例を使用することによって、端末の画面上に第１のアプリケーションを識別するための汎用アイコンを表示し、その後、第１のアプリケーションに対するアイコン変更命令が受信されたときにアイコン変更命令に応答することによって、端末の画面上に表示された汎用アイコンをカモフラージュアイコンに変更する目的が達成され、これによって、アプリケーションアイコンをカモフラージュする技術的効果を達成し、アプリケーションの把握しにくさを改善してアプリケーションのセキュリティを向上させ、さらにアプリケーションのセキュリティが低いという従来技法の技術的問題点を解決する。
【０１１４】
任意には、図１５は、本開示の実施形態例による、コンピュータ端末の構造ブロック図である。図１５に示すように、コンピュータ端末Ａは、１つ以上（１つのみを示す）プロセッサ１５０１、メモリ１５０３及び送信装置１５０５を含み得る。
【０１１５】
メモリ１５０３は、本開示の実施形態例におけるセキュリティ脆弱性検出方法及び装置に対応するプログラム命令／モジュールなど、ソフトウェアプログラム及びモジュールを記憶するように構成されてよい。プロセッサ１５０１は、メモリ１５０３に記憶されたソフトウェアプログラム及びモジュールを実行して、様々な機能アプリケーションを実行し、データ処理を実行する、すなわち、セキュリティ脆弱性検出方法を実施する。メモリ１５０３は、高速ランダムアクセスメモリを含んでよく、さらに不揮発性メモリ、例えば、１つ以上の磁気記憶装置、フラッシュメモリまたは別の不揮発性ソリッドステートメモリなどを含んでよい。一部の例では、メモリ１５０３はさらに、プロセッサに対して遠隔に配置されたメモリを含んでよく、遠隔メモリは、ネットワークを通じてコンピュータ端末Ａに接続されてよい。ネットワークの例には、インターネット、イントラネット、ローカルエリアネットワーク、移動通信ネットワーク及びそれらの組み合わせが含まれるが、これらに制限されない。
【０１１６】
送信装置１５０５は、ネットワークを介してデータを受信または送信するように構成されている。ネットワークの具体例は、有線ネットワーク及び無線ネットワークを含み得る。一例では、送信装置１５０５は、インターネットまたはローカルエリアネットワークと通信するためにネットワークケーブルを通じて別のネットワークデバイスまたはルータに接続され得るネットワークインタフェースコントローラ（ＮＩＣ）を含む。一例では、送信装置１５０５は、無線方式でインターネットと通信するように構成される無線周波数（ＲＦ）モジュールであってよい。
【０１１７】
具体的には、メモリ１５０３は、事前に設定された動作条件、事前に設定された許可ユーザ及びアプリケーションの情報を記憶するように構成される。
【０１１８】
プロセッサ１５０１は、送信装置１５０５を使用してメモリ１５０３に記憶された情報及びアプリケーションを呼び出し、以下、つまり、第１のアプリケーションを識別するための汎用アイコンを端末の画面上に表示し、第１のアプリケーションの汎用アイコンを変更するために使用される第１のアプリケーションのアイコン変更命令を受信し、アイコン変更命令に応じて、端末の画面上に表示された汎用アイコンをカモフラージュアイコンに変更するステップを実行し得る。
【０１１９】
任意には、プロセッサ１５０１はさらに、以下、つまり、カモフラージュアイコンの第１の操作を行うことによって生成された操作命令を受信し、操作命令に対応する指示情報を端末の画面上に表示し、指示情報に基づいて入力されたパスワードを受信し、入力パスワードに対応する機能を判断して機能を開始するステップのプログラムコードを実行し得る。
【０１２０】
任意には、プロセッサ１５０１はさらに、以下、つまり、入力パスワードに一致するプリセットパスワードを求めてプリセットパスワードライブラリ内を検索し、入力パスワードに一致するプリセットパスワードが見つかった場合、そのプリセットパスワードが指す機能を入力パスワードに対応する機能として判断し、入力パスワードに一致するプリセットパスワードが見つからなかった場合、入力パスワードに対応する機能をダイヤル機能として判断し、入力パスワードを使用することによって通信ダイヤルを行うステップのプログラムコードを実行し得る。
【０１２１】
任意には、プロセッサ１５０１はさらに、以下、つまり、操作命令に応じて、情報入力ページを端末の画面上に表示するステップのプログラムコードを実行してよく、入力ページには指示情報が記録され、指示情報には数字キー及びエンターキーが少なくとも含まれる。
【０１２２】
任意には、プロセッサ１５０１はさらに、以下、つまり、第１のアプリケーションを開始するための開始命令が受信された後、第１のアプリケーションのプログラムインタフェースを端末の画面上に表示し、プログラムインタフェースはガイド情報を記録し、ガイド情報に対して所定の操作が行われたかどうかを検出し、ガイド情報に対して所定の操作が行われたことが検出された場合、アイコン変更命令が受信されたと判定するステップのプログラムコードを実行し得る。
【０１２３】
任意には、プロセッサ１５０１はさらに、以下、つまり、第１のアイコンの表示属性を識別するための第１のラベルが選択されていないかどうか、第１のアイコンの隠し属性を識別するための第２のラベルが選択されているかどうか、第２のアイコンの表示属性を識別するための第３のラベルが選択されているかどうか、及び第１のアイコンの隠し属性を識別するための第４のラベルが選択されていないかどうかを検出することであって、ガイド情報は第１のラベル、第２のラベル、第３のラベル及び第４のラベルを含み、第１のラベルが選択されず、第２のラベルが選択され、第３のラベルが選択され、第４のラベルが選択されていない場合、ガイド情報に対して所定の操作が行われたと判定するステップのプログラムコードを実行し得る。
【０１２４】
任意には、プロセッサ１５０１はさらに、以下、つまり、カモフラージュ機能開始ボタンが選択されたかどうかを検出し、カモフラージュ機能開始ボタンが選択された場合、ガイド情報に対して所定の操作が行われたと判定するステップのプログラムコードを実行し得る。
【０１２５】
当業者であれば、図１５に示す構造は概略的なものにすぎず、スマートフォン（Ａｎｄｒｏｉｄ電話及びｉＯＳ電話など）、タブレットコンピュータ、ハンドヘルドコンピュータ、モバイルインターネットデバイス（ＭＩＤ）及びＰＡＤなどの端末デバイスであってもよいことを理解し得る。図１５は上記の電子装置の構造に制限されるわけではない。例えば、コンピュータ端末Ａは、図１５に示すものより多いまたは少ない構成要素（ネットワークインタフェース及び表示装置など）を有してよく、あるいは図１５に示すものとは異なる構成を有してよい。
【０１２６】
当業者であれば、上記の実施形態例の方法における全てまたは一部のステップは、端末デバイスに関連するハードウェアを命令するプログラムによって実施され得ることを理解し得る。プログラムはコンピュータ可読記憶媒体に記憶されてよい。記憶媒体は、フラッシュメモリディスク、読み取り専用メモリ（ＲＯＭ）、ランダムアクセスメモリ（ＲＡＭ）、磁気ディスク、光学ディスクまたはその他を含んでよい。
【０１２７】
実施形態例４
本開示の実施形態例はさらに記憶媒体を提供する。任意には、本実施形態例では、記憶媒体は、実施形態例１によって提供されるアプリケーションアイコン処理方法により実行されるプログラムコードを記憶するように構成され得る。
【０１２８】
任意には、本実施形態例では、記憶媒体は、コンピュータネットワーク内のコンピュータ端末グループ内の任意のコンピュータ端末内に配置されてよく、または携帯端末グループ内の任意の携帯端末内に配置されてよい。
【０１２９】
任意には、本実施形態例では、記憶媒体は、アプリケーションアイコン処理方法において、以下、つまり、第１のアプリケーションを識別するための汎用アイコンを端末の画面上に表示し、第１のアプリケーションの汎用アイコンを変更するために使用される第１のアプリケーションのアイコン変更命令を受信し、アイコン変更命令に応じて、端末の画面上に表示された汎用アイコンをカモフラージュアイコンに変更するステップのプログラムコードを記憶するように構成される。
【０１３０】
本開示の上記の実施形態例を使用することによって、端末の画面上に第１のアプリケーションを識別するための汎用アイコンを表示し、その後、第１のアプリケーションに対するアイコン変更命令が受信されたときにアイコン変更命令に応答することによって、端末の画面上に表示された汎用アイコンをカモフラージュアイコンに変更する目的が達成され、これによって、アプリケーションアイコンをカモフラージュする技術的効果を達成し、アプリケーションの把握しにくさを改善してアプリケーションのセキュリティを向上させ、さらにアプリケーションのセキュリティが低いという従来技法の技術的問題点を解決する。
【０１３１】
ここで、コンピュータ端末グループのいずれか１つがウェブサイトサーバ及びスキャナと通信関係を確立してよく、スキャナがコンピュータ端末上のｐｈｐによって実行されるウェブアプリケーションの値コマンドをスキャンしてよいことに留意すべきである。
【０１３２】
本開示の実施形態例の連続した番号は、説明のために使用されているにすぎず、実施形態例の間の嗜好を示唆しているわけではない。
【０１３３】
本発明の上記の実施形態例において、実施形態例の説明はそれぞれの焦点を有し、実施形態例に詳細には説明されていない部分については、他の実施形態例の関連する説明を参照してよい。
【０１３４】
本開示に提供されるいくつかの実施形態例では、開示された技術内容は他の方法で実施され得ることを理解すべきである。例えば、上述した装置の実施形態例は概略的なものにすぎず、例えば、ユニットの分割は論理機能の分割にすぎず、実際には、実際の実装時には他の分割方法であってよく、例えば、複数のユニットまたは構成要素を組み合わせてよく、別のシステムに統合してよく、一部の機能を無視してよく、または実行しなくてよい。一方、表示されるかまたは説明される結合もしくは直接結合またはそれらの間の通信接続は一部のインタフェースによって実装されてよく、間接結合またはユニットもしくはモジュール間の通信接続は電気形態または他の形態であってよい。
【０１３５】
別個のパーツとして記載されたユニットは、物理的に別個のものであっても別個でなくてもよく、ユニットとして表示されるパーツは物理ユニットであっても物理ユニットでなくてもよく、同じ位置に配置されてよく、または複数のネットワークユニットに分散されてもよい。実際の要件に従ってユニットの一部または全てを選択することによって、実施形態例の解決策の目的が実現され得る。
【０１３６】
さらに、本開示の実施形態例における様々な機能ユニットは、１つの処理ユニットに統合されてよく、それぞれのユニットはさらに物理的に単独で存在してもよく、２つ以上のユニットを１つのユニットに統合してもよい。統合されたユニットはハードウェアの形態で実装されてよく、ソフトウェア機能ユニットの形態で実装されてもよい。
【０１３７】
統合されたユニットは、ソフトウェア機能ユニットの形態で実装されて独立した製品として販売または使用される場合、コンピュータ可読記憶媒体に記憶されてよい。このような理解に基づいて、本開示の技術的解決策が本質的にソフトウェア製品の形態で実装され得るか、または従来技法に寄与する部分がソフトウェア製品の形態で実装され得るか、または技術的解決策の全てもしくは一部がソフトウェア製品の形態で実装され得る。コンピュータソフトウェア製品は、記憶媒体に記憶されてよく、コンピュータデバイス（パーソナルコンピュータ、サーバ、ネットワークデバイスまたはその他であってよい）に、本開示の実施形態例に記載される方法のステップの全てまたは一部を実行するように命令するいくつかの命令を含む。ストレージ媒体は、ＵＳＢフラッシュディスク、読み取り専用メモリ（ＲＯＭ）、ランダムアクセスメモリ（ＲＡＭ）、モバイルハードディスク、磁気ディスク、光学ディスクまたはプログラムコードを記憶し得る他の媒体を含む。
【０１３８】
上記の説明は、本開示の好適な実装方法にすぎない。当業者は、本開示の原則から逸脱することなく、いくつかの改良及び修正をさらに行い得ること、及び、これらの改良及び修正は本開示の保護範囲に該当するものであることに留意すべきである。
【図１】
2019510303.tif 000003
【図２（ａ）】
2019510303.tif 000004
【図２（ｂ）】
2019510303.tif 000005
【図２（ｃ）】
2019510303.tif 000006
【図３（ａ）】
2019510303.tif 000007
【図３（ｂ）】
2019510303.tif 000008
【図４（ａ）】
2019510303.tif 000009
【図４（ｂ）】
2019510303.tif 000010
【図４（ｃ）】
2019510303.tif 000011
【図５】
2019510303.tif 000012
【図６】
2019510303.tif 000013
【図７】
2019510303.tif 000014
【図８】
2019510303.tif 000015
【図９】
2019510303.tif 000016
【図１０】
2019510303.tif 000017
【図１１】
2019510303.tif 000018
【図１２】
2019510303.tif 000019
【図１３】
2019510303.tif 000020
【図１４】
2019510303.tif 000021
【図１５】
2019510303.tif 000022
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
第１のアプリケーションを識別するための汎用アイコンを端末の画面上に表示することと、
前記第１のアプリケーションの前記汎用アイコンを変更するために使用される前記第１のアプリケーションのアイコン変更命令を受信することと、
前記アイコン変更命令に応じて、前記端末の前記画面上に表示された前記汎用アイコンをカモフラージュアイコンに変更することと
を備える、アプリケーションアイコン処理方法。
【請求項２】
前記端末の前記画面上に表示された前記汎用アイコンをカモフラージュアイコンに変更することの後、前記方法はさらに、
前記カモフラージュアイコンに第１の操作を行うことによって生成された操作命令を受信することと、
前記操作命令に対応する指示情報を前記端末の前記画面上に表示することと、
前記指示情報に基づいて入力されたパスワードを受信することと、
前記入力パスワードに対応する機能を判断し、前記機能を開始することと
を備える、請求項１に記載の方法。
【請求項３】
前記入力パスワードに対応する機能を判断することは、
前記入力パスワードに一致するプリセットパスワードを求めてプリセットパスワードライブラリを検索することと、
前記入力パスワードに一致するプリセットパスワードが見つかった場合、前記プリセットパスワードが指す機能を前記入力パスワードに対応する前記機能として判断することと、
前記入力パスワードに一致するプリセットパスワードが見つからなかった場合、前記入力パスワードに対応する機能をダイヤル機能として判断し、前記入力パスワードを使用することによって通信ダイヤルを行うことと
を備える、請求項２に記載の方法。
【請求項４】
前記プリセットパスワードが指す前記機能は、以下、
前記第１のアプリケーションを開始することと、
第２のアプリケーションを開始することと、
第３のアプリケーションのプログラムインタフェースをリダイレクトすることと
のうちの少なくとも１つを備え、
前記第１のアプリケーション、前記第２のアプリケーション及び前記第３のアプリケーションは互いに異なる、請求項３に記載の方法。
【請求項５】
前記端末の前記画面上で前記操作命令に対応する指示情報を表示することは、
前記操作命令に応じて、情報入力ページを前記端末の前記画面上で表示することを備え、
前記入力ページには前記指示情報が記録され、
前記指示情報は数字キー及びエンターキーを少なくとも備える、
請求項２に記載の方法。
【請求項６】
前記第１の操作は、
タップ操作と、
ダブルタップ操作と、
長押し操作と
を備える、請求項２に記載の方法。
【請求項７】
前記第１のアプリケーションの前記アイコン変更命令を受信することは、
前記第１のアプリケーションを開始するための開始命令が受信された後、前記第１のアプリケーションのプログラムインタフェースを前記端末の前記画面上に表示することであって、前記プログラムインタフェースはガイド情報を記録する、ことと、
前記ガイド情報に対して所定の操作が行われたかどうかを検出することと、
前記ガイド情報に対して前記所定の操作が行われたことを検出することに応じて、前記アイコン変更命令を受信したと判定することと
を備える、請求項１に記載の方法。
【請求項８】
前記ガイド情報に前記所定の操作が行われたかどうかを検出することは、
第１のアイコンの表示属性を識別するための第１のラベルが選択されていないかどうか、前記第１のアイコンの隠し属性を識別するための第２のラベルが選択されているかどうか、第２のアイコンの表示属性を識別するための第３のラベルが選択されているかどうか、及び前記第２のアイコンの前記隠し属性を識別するための第４のラベルが選択されていないかどうかを検出することであって、前記ガイド情報は、前記第１のラベル、前記第２のラベル、前記第３のラベル、及び前記第４のラベルを備える、ことと、
前記第１のラベルが選択されず、前記第２のラベルが選択され、前記第３のラベルが選択され、前記第４のラベルが選択されていないと判定することに応じて、前記ガイド情報に対して前記所定の操作が行われたと判定することと
を備える、請求項７に記載の方法。
【請求項９】
前記ガイド情報は、カモフラージュ機能開始ボタンを備え、
前記ガイド情報に前記所定の操作が行われたかどうかを検出することは、
前記カモフラージュ機能開始ボタンが選択されたかどうかを検出することと、
前記カモフラージュ機能開始ボタンが選択された場合、前記ガイド情報に対して前記所定の操作が行われたと判定することと
を備える、請求項７に記載の方法。
【請求項１０】
端末の画面上に第１のアプリケーションを識別するための汎用アイコンを表示するように構成される第１の表示ユニットと、
前記第１のアプリケーションの前記汎用アイコンを変更するために使用される前記第１のアプリケーションのアイコン変更命令を受信するように構成される第１の受信ユニットと、
前記アイコン変更命令に応じて、前記端末の前記画面上に表示された前記汎用アイコンをカモフラージュアイコンに変更するように構成される第１の処理ユニットと
を備える、アプリケーションアイコン処理装置。
【請求項１１】
前記カモフラージュアイコンに第１の操作を行うことによって生成された操作命令を受信するように構成される第２の受信ユニットと、
前記操作命令に対応する指示情報を前記端末の前記画面上に表示するように構成される第２の表示ユニットと、
前記指示情報に基づいて入力されたパスワードを受信するように構成される第３の受信ユニットと、
前記入力パスワードに対応する機能を判断し、前記機能を開始するように構成される第２の処理ユニットと
をさらに備える、請求項１０に記載の装置。
【請求項１２】
前記第２の処理ユニットは、
前記入力パスワードに一致するプリセットパスワードを求めてプリセットパスワードライブラリを検索するように構成される検索サブユニットと、
前記入力パスワードに一致するプリセットパスワードが見つかった場合、前記プリセットパスワードが指す機能を前記入力パスワードに対応する前記機能として判断するように構成される第１の判定サブユニットと、
前記入力パスワードに一致するプリセットパスワードが見つからなかった場合、前記入力パスワードに対応する機能をダイヤル機能として判断し、前記入力パスワードを使用することによって通信ダイヤルを行うように構成される第２の判定サブユニットと
を備える、請求項１１に記載の装置。
【請求項１３】
前記第２の表示ユニットは、
前記操作命令に応じて、情報入力ページを前記端末の前記画面上に表示するように構成され、
前記入力ページには前記指示情報が記録され、
前記指示情報には数字キー及びエンターキーが少なくとも含まれる第１の表示サブユニットを備える、請求項１１に記載の装置。
【請求項１４】
前記第１の受信ユニットは、
前記第１のアプリケーションを開始するための開始命令が受信された後、前記第１のアプリケーションのプログラムインタフェースを前記端末の前記画面上に表示するように構成される第２の表示サブユニットであって、前記プログラムインタフェースはガイド情報を記録する、第２の表示サブユニットと、
前記ガイド情報に対して所定の操作が行われたかどうかを検出するように構成される検出サブユニットと、
前記ガイド情報に対して前記所定の操作が行われたことが検出された場合、前記アイコン変更命令を受信したと判定するように構成される第３の判定サブユニットと
を備える、請求項１０に記載の装置。
【請求項１５】
前記検出サブユニットは、
第１のアイコンの表示属性を識別するための第１のラベルが選択されていないかどうか、前記第１のアイコンの隠し属性を識別するための第２のラベルが選択されているかどうか、第２のアイコンの表示属性を識別するための第３のラベルが選択されているかどうか、及び前記第２のアイコンの前記隠し属性を識別するための第４のラベルが選択されていないかどうかを検出するように構成される第１の検出モジュールであって、前記ガイド情報は、前記第１のラベル、前記第２のラベル、前記第３のラベル及び前記第４のラベルを備える、第１の検出モジュールと、
前記第１のラベルが選択されず、前記第２のラベルが選択され、前記第３のラベルが選択され、前記第４のラベルが選択されていない場合、前記ガイド情報に対して前記所定の操作が行われたと判定するように構成される第１の判定モジュールと
を備える、請求項１４に記載の装置。
【手続補正２】
【補正対象書類名】明細書
【補正対象項目名】００７５
【補正方法】変更
【補正の内容】
【００７５】
ステップＳ６０２：第１のアイコンの表示属性を識別するための第１のラベルが選択されていないかどうか、第１のアイコンの隠し属性を識別するための第２のラベルが選択されているかどうか、第２のアイコンの表示属性を識別するための第３のラベルが選択されているかどうか、及び第２のアイコンの隠し属性を識別するための第４のラベルが選択されていないかどうかを検出し、ガイド情報は第１のラベル、第２のラベル、第３のラベル及び第４のラベルを含む。
【手続補正３】
【補正対象書類名】明細書
【補正対象項目名】０１０５
【補正方法】変更
【補正の内容】
【０１０５】
第１の検出モジュール１３０１は、第１のアイコンの表示属性を識別するための第１のラベルが選択されていないかどうか、第１のアイコンの隠し属性を識別するための第２のラベルが選択されているかどうか、第２のアイコンの表示属性を識別するための第３のラベルが選択されているかどうか、及び第２のアイコンの隠し属性を識別するための第４のラベルが選択されていないかどうかを検出するように構成され、ガイド情報は第１のラベル、第２のラベル、第３のラベル及び第４のラベルを含む。第１の判定モジュール１３０３は、第１のラベルが選択されず、第２のラベルが選択され、第３のラベルが選択され、第４のラベルが選択されていない場合、ガイド情報に対して所定の操作が行われたと判定するように構成される。
【手続補正４】
【補正対象書類名】明細書
【補正対象項目名】０１１５
【補正方法】変更
【補正の内容】
【０１１５】
メモリ１５０３は、本開示の実施形態例におけるアプリケーションアイコン処理方法及び装置に対応するプログラム命令／モジュールなど、ソフトウェアプログラム及びモジュールを記憶するように構成されてよい。プロセッサ１５０１は、メモリ１５０３に記憶されたソフトウェアプログラム及びモジュールを実行して、様々な機能アプリケーションを実行し、データ処理を実行する、すなわち、アプリケーションアイコン処理方法を実施する。メモリ１５０３は、高速ランダムアクセスメモリを含んでよく、さらに不揮発性メモリ、例えば、１つ以上の磁気記憶装置、フラッシュメモリまたは別の不揮発性ソリッドステートメモリなどを含んでよい。一部の例では、メモリ１５０３はさらに、プロセッサに対して遠隔に配置されたメモリを含んでよく、遠隔メモリは、ネットワークを通じてコンピュータ端末Ａに接続されてよい。ネットワークの例には、インターネット、イントラネット、ローカルエリアネットワーク、移動通信ネットワーク及びそれらの組み合わせが含まれるが、これらに制限されない。
【手続補正５】
【補正対象書類名】明細書
【補正対象項目名】０１２３
【補正方法】変更
【補正の内容】
【０１２３】
任意には、プロセッサ１５０１はさらに、以下、つまり、第１のアイコンの表示属性を識別するための第１のラベルが選択されていないかどうか、第１のアイコンの隠し属性を識別するための第２のラベルが選択されているかどうか、第２のアイコンの表示属性を識別するための第３のラベルが選択されているかどうか、及び第２のアイコンの隠し属性を識別するための第４のラベルが選択されていないかどうかを検出することであって、ガイド情報は第１のラベル、第２のラベル、第３のラベル及び第４のラベルを含み、第１のラベルが選択されず、第２のラベルが選択され、第３のラベルが選択され、第４のラベルが選択されていない場合、ガイド情報に対して所定の操作が行われたと判定するステップのプログラムコードを実行し得る。
【手続補正６】
【補正対象書類名】図面
【補正対象項目名】図６
【補正方法】変更
【補正の内容】
【図６】
2019510303.tif 000023
【国際調査報告】
2019510303.tif 000024
2019510303.tif 000025
2019510303.tif 000026
2019510303.tif 000027